(57)【要約】【課題】  本発明は、異なるコンクリート打設範囲に応じて、長手方向の長さを変更調整できるコンクリートストッパーを提供する。【解決手段】  コンクリートストッパーは、長尺脚支持体、複数の脚差込穴及び複数の脚を備える。長尺脚支持体は複数の脚支持部材で構成され、長手方向Ｎに各脚支持部材を隣接して並設する。隣接する各脚支持部材において、一方側の脚支持部材の端部を他方側の脚支持部材の端部内に長手方向から取外自在に嵌込んで連結部を構成して、各脚支持部材同士を連結する。複数の脚差込穴は、長手方向に間隔を隔てて各脚支持部材に並設し、差込方向で各脚支持部材を貫通する。複数の脚は、各脚差込穴に摺動自在に挿通されると共に、連結部において、各端部の脚差込穴に挿通される。【選択図】  図１
2014163032.tif 000002
【特許請求の範囲】
【請求項１】
コンクリート打設現場において、一時的に打設範囲を仕切るコンクリートストッパーであって、
［Ａ］複数の脚支持部材で構成される長尺脚支持体と、
複数の脚差込穴と、
複数の脚と、
を含んで備え、
［Ｂ］前記長尺脚支持体は、
前記長尺脚支持体の長手方向に前記各脚支持部材を隣接して並設すると共に、
隣接する各脚支持部材において、一方側の前記脚支持部材の端部を他方側の前記脚支持部材の端部内に前記長手方向から取外自在に嵌込んで、前記各脚支持部材同士を連結し、
［Ｃ］前記複数の脚差込穴は、
前記長手方向に間隔を隔てて、前記各脚支持部材の両端部、及び前記各脚支持部材の両端部間に並設されると共に、
前記長手方向に直交する差込方向で前記各脚支持部材を貫通し、
［Ｄ］隣接する各脚支持部材は、
前記端部の嵌込みに伴って、前記各端部の前記脚差込穴を前記差込方向で連通し、
［Ｅ］前記複数の脚は、
前記各脚差込穴に摺動自在に挿通されると共に、
前記端部の嵌込みに伴って、前記差込方向で連通する前記各端部の前記脚差込穴に摺動自在に挿通される
ことを特徴とするコンクリートストッパー。
【請求項２】
［Ｆ］前記長尺脚支持体は、
前記長手方向の一端部を突起端部に形成する複数の第１脚支持部材と、
前記長手方向の両端部を筒状端部に形成する第２脚支持部材と、
で構成され、
前記長手方向において、前記第２脚支持部材の両端に前記各第１脚支持部材を隣接して並設すると共に、
前記各第１脚支持部材の前記突起端を前記第２脚支持部材の前記各筒状端部内の夫々に前記長手方向から取外自在に嵌込んで、前記各第１脚支持部材及び前記第２脚支持部材同士を連結し、
［Ｇ］前記各第１脚支持部材、及び前記第２脚支持部材は、
前記各突起端部の嵌込みに伴って、前記各突起端部の前記脚差込穴及び前記各筒状端部の前記差込穴を前記差込方向で連通し、
［Ｈ］前記複数の脚は、
前記各脚差込穴に摺動自在に挿通されると共に
前記各突起端部の嵌込みに伴って、前記差込方向で連通する前記突起端部の前記脚差込穴及び前記筒状端部の前記脚差込穴に摺動自在に挿通される
ことを特徴とする請求項１に記載のコンクリートストッパー。
【請求項３】
［Ｉ］前記長尺脚支持体の両端部にある前記各脚は、
前記長尺脚支持体の両端部にある前記各脚差込穴に圧入されると共に、
前記差込方向の力操作に伴って、前記差込方向に摺動される
ことを特徴とする請求項１又は２に記載のコンクリートストッパー。
【請求項４】
［Ｊ］把手部材、及び複数の把手支持部材を有する把手体を含んで備え、
［Ｋ］前記把手部材は、
前記長尺脚支持体の両端部にある前記各脚を除く、前記長尺脚支持体の両端部間にある前記各脚に対して、前記差込方向に間隔を隔てて対峙され、
［Ｌ］前記各把手支持部材は、
前記把手部材の両端に夫々連結されると共に、
前記長尺脚支持体の前記両端部にある前記各脚、及び当該両端部にある前記各脚に隣設する前記各脚間の夫々で前記長尺脚支持体に取付けられ、
［Ｍ］前記長尺脚支持体の前記両端部間にある前記各脚は、
前記差込方向の摺動に伴って、前記把手部材に当接されると共に、
前記脚の一部を前記各脚差込穴内に配置する
ことを特徴とする請求項３に記載のコンクリートストッパー。
【請求項５】
［Ｎ］前記把手体は、
複数の抜止部材を有し、
［Ｏ］前記各把手支持部材は、
前記差込方向で前記長尺脚支持体を摺動自在に挿通し、
［Ｐ］前記各抜止部材は、
前記長尺脚支持体を前記把手部材との間に位置して、前記長尺脚支持体に当接自在に配置されると共に、
前記各把手支持部材において、前記長尺脚支持体を挿通する側に夫々取付けられる
ことを特徴とする請求項４に記載のコンクリートストッパー。
【発明の詳細な説明】
【技術分野】
【０００１】
本発明は、コンクリート打設現場において、一時的に打設範囲を仕切るコンクリートストッパーに関する。
【背景技術】
【０００２】
コンクリート打設範囲を一時的に仕切る技術として、特許文献１は、建築用コンクリートの堰き止め具を開示する。
堰き止め具は、複数の透穴を長尺支持枠体に並設して形成し、複数の脚部を各透穴に摺動自在に挿通する。また、堰き止め具は、把手体を備え、把手体は長尺支持枠本体に固定され、長尺支持枠本体から延出して配置される。
この堰き止め具では、各脚部を摺動することで、鉄筋、配電ボックス等の障害物が存在しても、コンクリート打設範囲を仕切ることができる。
【先行技術文献】
【特許文献】
【０００３】
【特許文献１】実開平６−７４７４４号公報
【発明の概要】
【発明が解決しようとする課題】
【０００４】
しかし、特許文献１では、長尺支持枠本体を単一部材で構成するので、長尺支持枠本体の長さを変更調整できず、異なるコンクリート打設範囲に対応して仕切ることができない。
また、特許文献１において、把手体は把手体が長尺支持枠本体から延出しているので、堰き止め具の不使用時において、収納スペースは大きくなる。
【０００５】
本発明は、上記問題に鑑みてなされたもので、異なるコンクリート打設範囲に応じて、長手方向の長さ寸法を変更調整できるコンクリートストッパーを提供することにある。
また、本発明は、把手体を備えるコンクリートストッパーにおいて、不使用時の収容スペースを最小限にでき、運搬時に長尺脚支持体から脚が外れないコンクリートストッパーを提供することにある。
【課題を解決するための手段】
【０００６】
本発明に係る請求項１は、コンクリート打設現場において、一時的に打設範囲を仕切るコンクリートストッパーであって、複数の脚支持部材で構成される長尺脚支持体と、複数の脚差込穴と、複数の脚とを含んで備え、前記長尺脚支持体は、前記長尺脚支持体の長手方向に前記各支持脚部材を隣接して並設すると共に、隣接する各脚支持部材において、一方側の脚支持部材の端部を他方側の脚支持部材の端部内に長手方向から取外自在に嵌込んで、前記各脚支持部材同士を連結し、前記複数の脚差込穴は、前記長手方向に間隔を隔てて、前記各脚支持部材の両端部及び前記脚支持部材の両端部間に並設されると共に、前記長手方向に直交する差込方向で前記各脚支持部材を貫通し、前記隣接する各脚支持部材は、前記端部の嵌込みに伴って、前記各端部の前記各脚差込穴同士を前記差込方向で連通し、前記複数の脚は、前記各脚差込穴に摺動自在に挿通されると共に、前記端部に嵌込みに伴って、前記差込方向で連通する前記各端部の前記脚差込穴に挿通されることを特徴とするコンクリートストッパーである。
【０００７】
本発明に係る請求項２は、前記長尺脚支持体は、前記長手方向の一端部を突起端部に形成する複数の第１脚支持部材と、前記長手方向の両端部を筒状端部に形成する第２脚支持部材とで構成され、前記長手方向において、前記第２脚支持部材の両端に前記各第１脚支持部材を隣接して並設すると共に、前記各第１脚支持部材の前記突起端部を前記第２脚支持部材の前記各筒状端部内に前記長手方向から取出自在に嵌込んで、前記各第１脚支持部材及び前記第２脚支持部材同士を連結し、前記複数の脚は、前記各脚差込穴に摺動自在に挿通されると共に、前記突起端部の嵌込みに伴って、前記差込方向で連通する前記突起端部の前記脚差込穴及び前記筒状端部の前記脚差込穴に挿通されることを特徴とする請求項１に記載のコンクリートストッパーである。
【０００８】
本発明に係る請求項３は、前記長尺脚支持体の両端部にある前記各脚は、前記長尺脚支持体の両端部にある前記各脚差込穴に圧入されると共に、前記差込方向の力操作に伴って、前記差込方向に摺動されることを特徴とする請求項１又は２に記載のコンクリートストッパーである。
【０００９】
本発明に係る請求項４は、把手部材、及び複数の把手支持部材を有する把手体を含んで備え、前記把手部材は、前記長尺脚支持体の両端部にある前記各脚を除く、前記長尺脚支持体の両端部間にある前記各脚に対して、前記差込方向に間隔を隔てて対峙され、前記各把手支持部材は、前記把手部材の両端に夫々連結されると共に、前記長尺脚支持体の両端部にある前記各脚、及び当該両端部にある前記各脚に隣設する前記各脚間で前記長尺脚支持体に取付けられ、前記長尺脚支持体の両端部間にある前記各脚は、前記差込方向の摺動に伴って、前記把手部材に当接されると共に、前記脚の一部を前記各脚差込穴に配置することを特徴とするコンクリートストッパーである。
【００１０】
本発明に係る請求項５は、前記把手体は、複数の抜止部材を有し、前記各把手支持部材は、前記差込方向で前記長尺脚支持体を摺動自在に挿通し、前記各抜止部材は、前記長尺脚支持体を前記把手部材との間に位置して、前記長尺脚支持体に当接自在に配置されると共に、前記各把手支持部材において、前記長尺脚支持体を挿通する側に夫々取付けられることを特徴とする請求項４に記載のコンクリートストッパーである。
【発明の効果】
【００１１】
本発明に係る請求項１では、複数の脚を各脚差込穴に摺動自在に挿通して長手方向に並設するので、コンクリート打設現場において、複数の脚で打設範囲を仕切ることができる。また、打設範囲に鉄筋、配電ボックス等の障害物があっても、各脚を差込方向に摺動することで、障害物上に配置できる。
請求項１では、長尺脚支持体は、複数の脚支持部材で構成され、長手方向に各脚支持部材を隣接して並設する。隣接する各脚支持部材において、一方側の脚支持部材の端部を他方側の脚支持部材の端部内に長手方向から取外自在に嵌込んで、各脚支持部材同士を連結する。
これにより、コンクリートストッパーでは、脚支持部材の連結数を適宜選択することで、長手方向に任意長を有する長尺脚支持体を構成できるので、異なるコンクリート打設範囲に対応して、長手方向の長さ寸法を各脚支持部材単位で変更調整が可能となる。
請求項１では、一方側の脚支持部材の端部を他方側の脚支持部材の端部内から取外すことで、長尺脚支持体を各脚支持部材に分離（分割）でき、コンクリート打設毎に、繰り返し使用（再利用）できる。
請求項１では、脚は、差込方向で連通する各端部の脚差込穴を挿通するので、一方側の脚支持部材の端部は他方側の脚支持部材の端部内から長手方向に抜出ない。
これにより、各端部の脚差込穴を挿通する各脚は、端部の抜止めをし、打設時の生コンクリートを受ける機能を兼用する。
【００１２】
本発明に係る請求項２は、各第１脚支持部材の突起端部を第２脚支持部材の各筒状端部内に長手方向から取外自在に嵌込んで、各第１脚支持部材及び第２脚支持部材同士を連結する。
これにより、第１及び第２脚支持部材の端部を連結する連結部は、二重構造になるので、打設時の生コンクリートに対して構造上強くできる。
【００１３】
本発明に係る請求項３では、長尺脚支持体の両端部にある各脚は、長尺脚支持体の両端部にある各脚差込穴に圧入されるので、長尺脚支持体を任意位置で支持できる。両端部にある各脚及び長尺脚支持体は、差込穴の力操作を受けなければ、差込方向に相対摺動しない。
一方、両端部にある各脚は、差込方向の力操作に伴って、長尺脚支持体（各脚差込穴）に対して差込方向に相対摺動でき、長尺脚支持体を任意位置に変更して支持できる。
【００１４】
本発明に係る請求項４では、把手部材を掴むことで、コンクリートストッパーを搬送して、コンクリート打設範囲に各脚を配置できる。
請求項４では、コンクリートストッパーの運搬時、長尺脚支持体及び各脚に振動が伝搬されると、各脚は、長尺脚支持体（各脚差込穴）に対して差込方向に摺動する。
各脚は、差込方向の摺動に伴って、把手部材に当接すると共に、脚の一部を各脚差込穴内に配置するので、各脚差込穴から抜出ない。
これにより、各脚は、長尺脚支持体（各脚支持部材）から外れることなく、更に脚で各脚支持部材の連結を維持できるので、各脚支持部材を分解（分割）することなく、コンクリートストッパーを運搬できる。
【００１５】
本発明に係る請求項５では、各把手支持部材を差込方向に摺動することで、両端部にある脚及び隣設する脚間に収容でき、更に把手部材を各脚に当接することができるので、把手体を把手部材及び複数の把手支持部材で構成しても、収容スペースを最小限にできる。
また、各把手支持部材は、各抜止部材が長尺脚支持体に当接することで、抜止される。
【図面の簡単な説明】
【００１６】
【図１】第１実施形態のコンクリートストッパーを示す全体斜視図である。
【図２】第１実施形態のコンクリートストッパーを構成する長尺脚支持体、第１及び第２脚支持部材を示す上面図である。
【図３】第１脚支持部材を示す図であって、（ａ）は図２のＢ−Ｂ断面拡大図、（ｂ）は図２のＣ−Ｃ断面拡大図、（ｃ）は図２のＤ―Ｄ断面拡大図である。
【図４】第１脚支持部材を示す図であって、（ａ）は図２のＦ矢視断面拡大図、（ｂ）は図２のＧ矢視断面拡大図である。
【図５】第２脚支持部材を示す図であって、（ａ）は図２のＨ−Ｈ断面拡大図、（ｂ）はＩ矢視断面拡大図である。
【図６】長尺脚支持体を示す図であって、（ａ）は上面図、（ｂ）は図６（ａ）のＪ−Ｊ断面図である。
【図７】長尺脚支持体を示す図であって、（ａ）は図６（ａ）のＫ−Ｋ断面拡大図、（ｂ）は図６（ｂ）のＬ矢視断面拡大図である
【図８】第１実施形態のコンクリートストッパーを構成ずる脚を示す図であって、（ａ）は拡大正面図、（ｂ）は図８（ａ）のＭ−Ｍ断面拡大図である。
【図９】第１実施形態のコンクリートストッパーを示す図であって、（ａ）は図１のＡ−Ａ矢視図、（ｂ）は図９（ａ）のＮ−Ｎ断面図である。
【図１０】脚差込穴（突起体）及び長尺脚部の関係を示す要部拡大図である。
【図１１】脚及び脚差込穴（突起体）の関係を示す図であって、（ａ）図９（ａ）のＱ−Ｑ断面拡大図、（ｂ）は図９（ｂ）のＲ矢視拡大断面図である。
【図１２】脚及び脚差込穴（突起体）の関係を示す図であって、（ａ）は図９（ａ）のＯ−Ｏ断面拡大図、（ｂ）は図９（ｂ）のＰ矢視拡大断面図である。
【図１３】脚及び脚差込穴（突起体）の関係を示す図であって、（ａ）は図９（ａ）のＳ−Ｓ断面拡大図、（ｂ）は図９（ｂ）のＴ矢視断面拡大図である。
【図１４】第１実施形態のコンクリートストッパーを示す図であって、一方側の第１脚支持部材を第２脚支持部材から取外した正面図である。
【図１５】第１実施形態のコンクリートストッパーを示す図であって、両方側の第１脚支持部材を第２脚支持部材から取外した正面図である。
【図１６】長尺脚支持体に複数の第１脚支持部材を連結した図であって、（ａ）は上面図、（ｂ）は図１６（ａ）のＵ−Ｕ断面図である。
【図１７】長尺脚支持体に複数の第１脚支持部材を連結した図であって、（ａ）は図１６（ａ）のＶ−Ｖ断面拡大図、（ｂ）は図１６（ｂ）のａ矢視断面拡大図である。
【図１８】長尺脚支持体に複数の第１脚支持部材を連結した図であって、図１６（ｂ）のｂ矢視断面拡大図である。
【図１９】第１実施形態のコンクリートストッパーをスラブ型枠内に配置する正面図である。
【図２０】脚及び各脚差込穴の関係を示す図であって、（ａ）は要部拡大図、（ｂ）は図２０（ａ）のｃ−ｃ断面拡大図である。
【図２１】第２実施形態のコンクリートストッパーを示す斜視図である。
【図２２】脚及び把手差込穴の関係を示す拡大断面図である。
【図２３】第２実施形態のコンクリートストッパーを示す図であって、把手体（把手部材）を収納位置に配置する正面図である。
【図２４】図２３のｄ−ｄ断面拡大図である。
【図２５】第２実施形態のコンクリートストッパーを示す図であって、把手体（把手部材）を使用位置に配置する正面図である。
【図２６】図２５のｅ−ｅ断面拡大図である。
【図２７】第２実施形態のコンクリートストッパーをスラブ型枠内に配置する正面図である。
【図２８】両端部間にある各脚の長尺脚部を、間隔を超える所定範囲に摺動した図であって、（ａ）は側面断面図、（ｂ）は図２８（ａ）の要部拡大断面図である
【図２９】第２実施形態のコンクリートストッパーであって、把手体を単一の長尺脚支持体に適用した斜視図である。
【図３０】第２実施形態のコンクリートストッパー（変形例１）であって、把手保護部材を配置する斜視図である。
【図３１】第２実施形態のコンクリートストッパー（変形例１）であって、把手保護部材を収納位置に配置した正面図である。
【図３２】図３１のｆ−ｆ矢視拡大図である。
【図３３】第２実施形態のコンクリートストッパー（変形例１）であって、把手保護部材を使用位置に配置した正面図である。
【図３４】図３３のｇ−ｇ断面拡大図である。
【図３５】変形例１において、両端部間にある各脚の長尺脚部を、間隔を超える所定範囲に摺動した図であって、（ａ）は側面断面図、（ｂ）は図３５（ａ）の要部拡大断面図である。
【図３６】第２実施形態のコンクリートストッパー（変形例２）であって、波状の把手棒材及び脚頭部の関係を示す上面図である。
【図３７】第２実施形態のコンクリートストッパー（変形例２）であって、波状の把手棒材を収納位置に配置した側面断面図である。
【図３８】第２実施形態のコンクリートストッパー（変形例２）であって、波状の把手棒材を使用位置にした側面断面図である。
【図３９】変形例２において、両端部間にある各脚の長尺脚部を、間隔を超える所定範囲に摺動した側面断面図である。
【発明を実施するための形態】
【００１７】
第１及び第２実施形態のコンクリートストッパーについて、図１乃至図３９を参照して説明する。
【００１８】
＜第１実施形態＞
第１実施形態のコンクリートストッパーについて、図１乃至図２０を参照して説明する。
【００１９】
図１乃至図２０において、第１実施形態のコンクリートストッパーＸ（以下、「コンクリートストッパーＸ」と称する）は、長尺脚支持体１、複数の脚差込穴２，２，…、複数の穴突起体３，３，…及び複数の脚５，５，…を含んで備える。
【００２０】
図１乃至図２０において、長尺脚支持体１は、複数の長尺脚支持部材で構成され、例えば、複数の第１脚支持部材７，９、及び第２脚支持部材８で構成する。なお、複数の第１脚支持部材７，７，…、第２脚支持部材８及び複数の第１脚支持部材９，９，…で長尺支脚支持体１０１を構成できる（図１６乃至図１８参照）。
【００２１】
長尺脚支持体１は、図１及び図６に示すように、長手方向Ｎにおいて、第２脚支持部材８の両端に第１脚支持部材７，９を夫々隣接して並設する。長尺脚本体１では、第１脚支持部材７及び第２脚支持部材８を隣接し、第２脚支持部材８及び第１脚支持部材９を隣接して、長手方向Ｎに各脚支持部材７〜９を直線的に連続して並設する。
【００２２】
長尺脚支持体１は、図１乃至図７に示すように、長手方向Ｎに直交する差込方向Ｓ（以下、「差込方向Ｓ」と称する）で断面矩形に形成され、長手方向Ｎの両端に開口する。
長尺脚支持体１は、差込方向Ｓに間隔を隔てて平行する上下平板部１Ａ，１Ｂを有する。
【００２３】
図１乃至図４において、各第１脚支持部材７，９は、弾性変形自在な材質であって、例えば、硬質合成樹脂で形成され、筒状本体１０、筒状突起端部１１及び筒状端部１２を有する。
各第１脚支持部材７，９は、長手方向Ｎの一端部（筒状本体１０の一端部）を筒状突起端部１１（以下、「突起端部１１」と称する）に形成する。
各第１脚支持部材７，９は、長手方向Ｎの他端部（筒状本体１０の他端部）を筒状端部１２に形成する。
【００２４】
各第１脚支持部材７，９において、筒状本体１０は、図１乃至図４に示すように、長手方向Ｎに筒状端部１２を有し、筒状端部１２は長尺脚支持体１の両端部を構成する（以下、「長尺脚支持体１の両端部１２，１２」とも称する）。
筒状本体１０は、差込方向Ｓで断面矩形に形成され、差込方向Ｓに間隔を隔てて平行する上下平板部１０Ａ，１０Ｂを有する。
【００２５】
突起端部１１は、図２乃至図４に示すように、差込方向Ｓで筒状本体１と相似形の断面矩形に形成される。但し、突起端部１１の断面矩形＜筒状本体１０の断面矩形の関係である。
突起端部１１は、差込方向Ｓに間隔を隔てて平行する上下平板部１１Ａ，１１Ｂを有し、上下平板部１１Ａ，１１Ｂは上下平板部１０Ａ，１０Ｂに平行して配置される。
突起端部１１は、図２乃至図４に示すように、軸心線αを筒状本体１０の軸心線βに一致して配置され、長手方向Ｎに突出している。
【００２６】
図１及び図２、及び図５において、第２脚支持部材８は、弾性変形自在な材質であって、例えば、硬質合成樹脂で形成され、筒状本体１５及び複数の筒状端部１３，１４を有する。
第２脚支持部材８は、長手方向Ｎの両端部（筒状本体１５の両端部）を各筒状端部１３，１４に形成する。
【００２７】
第２脚支持部材８において、筒状本体１５は、図１及び図２、図５に示すように、長手方向Ｎの両端部に筒状端部１３，１４を有し、各筒状端部１３，１４は長手方向Ｎの両端で開口する。
筒状本体１５は、差込方向Ｓで断面矩形にされ、差込方向Ｓに間隔を隔てて平行する上下平板部１５Ａ，１５Ｂを有する。上下平板部１５Ａ，１５Ｂは、各第１脚支持部材７，９の上下平板部１０Ａ，１０Ｂに平行して配置される。
また、筒状本体１５は、第１脚支持部材７，９の筒状本体１０と同一の断面矩形に形成される。
【００２８】
図６及び図７において、長尺脚支持体１は、隣接する第１及び第２脚支持部材７，８において、第１脚支持部材７（一方側の脚支持部材）の突起端部１１を第２脚支持部材８（他方側の脚支持部材）の筒状端部１３内に、長手方向Ｎから取外自在に嵌込んで連結部Ａを形成して、各脚支持部材７，８同士を連結する。
また、隣接する第１及び第２脚支持部材８，９において、第１脚支持部材９（一方側の脚支持部材）の突起端部１１を第２脚支持部材８（他方側の脚支持部材）の筒状端部１４内に、長手方向Ｎから取外自在に嵌込んで連結部Ａを形成して、各脚支持部材８，９同士を連結する。
各連結部Ａ，Ａは、図６及び図７に示すように、各筒状端部１３，１４内に突起端部１１，１１を重ねて当接する二重筒状構造である。また、各連結部Ａ，Ａでは、差込方向Ｈにおいて、上平板部１５Ａ，１０Ａ同士を当接し、下平板部１０Ｂ，１５Ｂ同士を当接する。
これにより、各第１脚支持部材７，９、及び第２脚支持部材８は、長手方向Ｎに直線的に隣接して連結され、長尺脚支持体１を構成する（図１及び図７参照）。
また、各連結部Ａ，Ａは、二重筒状構造であるので、幅方向Ｈの負荷（生コンクリート）に対して構造上強くなる。なお、幅方向Ｈは、長手方向Ｎ及び幅方向Ｈに直交する方向である。
更に、各脚支持部材７〜９において、上下平板部１０Ａ，１５Ａ，１０Ｂ，１５Ｂは、長尺脚支持体１の上下平板部１Ａ，１Ｂを構成する。
【００２９】
一方、長尺脚支持体１において、各第１脚支持部材７，９の突起端部１１を第２脚支持部材８の筒状端部１３，１４内から取外して、各脚支持部材７〜９に分離（分割）できる。
【００３０】
図１乃至図７において、複数の脚差込穴２，２，…は、長手方向Ｎに間隔を隔てて、長尺脚支持体１に形成される。
【００３１】
各脚差込穴２，２，…は、図２乃至図７に示すように、長手方向Ｎに間隔を隔てて、各第１脚支持部材７，９の突起端部１１、筒状端部１２及び両端部１１，１２間に並設される。各第１脚支持部材７，９において、各脚差込穴２，２，…は軸心線α，β上に配置される。
【００３２】
各脚差込穴２，２，…は、長手方向Ｎに間隔を隔てて、第２脚支持部材８の筒状端部１３，１４及び両端部１３，１４間に並設される。第２脚支持部材８において、各脚差込穴２，２，…は軸心線γ上に配置される。
【００３３】
図２乃至図７において、複数の脚差込穴２，２，…は、差込方向Ｓで各脚支持部材７〜９（長尺支持体１）を貫通する。
【００３４】
長尺支持体１の両端部１２，１２において、各脚差込穴２，２は、差込方向Ｓで各端部１２，１２（第１脚支持部材７，９の筒状端部１２）を貫通して、長尺脚支持体１の上下平板部１Ａ，１Ｂ（上下平板部１０Ａ，１０Ｂ）に開口する。
【００３５】
第１脚支持部材７，８の突起端部１１において、各脚差込穴２，２は、差込方向Ｓで突起端部１１を貫通して、突起端部１１の上下平板部１１Ａ，１１Ｂに開口する。
【００３６】
第１脚支持部材７，８の突起端部１１、筒状端部１２を除く両端部間において、各脚差込穴２，２，…は、差込方向Ｓで筒状本体１０を貫通して、筒状本体１０の上下平板部１０Ａ，１０Ｂに開口する（図１乃至図４、図６参照）。
【００３７】
第２脚支持部材８の筒状端部１３，１４において、各脚差込穴２，２は、差込方向Ｓで各筒状端部１３，１４を貫通して、筒状本体１５の上下平板部１５Ａ，１５Ｂに開口する。
【００３８】
第２脚支持部材８の筒状端部１３，１４を除く両端部間において、各脚差込穴２，２，…は、差込方向Ｓで筒状本体１５を貫通して、筒状本体１５の上下平板部１５Ａ，１５Ｂに開口する（図１、図２及び図５、図６参照）。
【００３９】
図６及び図７において、隣接する各脚支持部材７〜９同士を連結すると、第１及び第２脚支持部材７，８は、突起端部１１の嵌込みに伴って、突起端部１１及び筒状端部１３の各脚差込穴２同士（連結部Ａの各脚差込穴２，２）を差込方向Ｓで連通する。
また、第１及び第２脚支持部材８，９は、突起端部１１の嵌込みに伴って、突起端部１１及び筒状端部１４の各脚差込穴２，２同士（連結部Ａの各脚差込穴２，２）を差込方向Ｓで連通する。
【００４０】
図１乃至図７、及び図１０において、各脚差込穴２，２，…は、例えば、長穴に形成され、長手方向Ｎに延出する。
各脚差込穴２，２，…は、図５乃至図５、図７及び図１０に示すように、幅方向Ｈに穴幅Ｈ１を隔てて平行する左右穴平面２Ａ，２Ｂを有し、各穴平面２Ａ，２Ｂは長手方向Ｎに延出される。
各脚差込穴２，２，…は、長手方向Ｎに穴長Ｌ１及び幅方向Ｈに穴幅Ｈ１を有する。
【００４１】
図３乃至図５、図７及び図１０において、複数の突起体３，３，…は、各脚差込穴２，２，…に配置される。
各突起体３，３，…は、例えば軟質合成樹脂で各脚支持部材７〜９に一体形成される。
各突起体３，３，…は、上側・左右突起３Ａ，３Ｂ及び下側・左右突起３Ａ，３Ｂを有する。
【００４２】
各第１脚支持部材７，９において、上側・左右突起３Ａ，３Ｂは、図３及び図４に示すように、上平板部１０Ａ，１１Ａ，１５Ａ（筒状本体１０，１５及び突起端部１１）に開口する各脚差込穴２，２，…内に配置される。
上側・左右突起３Ａ，３Ｂは、脚差込穴２の左右穴平面２Ａ，２Ｂに夫々連続して、上平板部１０Ａ，１１Ａ，１５Ａに一体形成される。
上側・左右突起３Ａ，３Ｂは、幅方向Ｈに突起間隔Ｐ１（又はＰ２）を隔てて対峙され、幅方向Ｈに突起幅ｈ１（又はｈ２）を有して、脚差込２内に突出する（図３及び図１０参照）。
【００４３】
各第１脚支持部材７，９において、下側・左右突起３Ａ，３Ｂは、図３及び図４に示すように、下平板部１０Ｂ，１１Ｂ，１５Ｂ（筒状本体１０，１５及び突起端部１１）に開口する各脚差込穴２，２，…内に配置される。
下側・左右突起３Ａ，３Ｂは、脚差込穴２の左右穴平面２Ａ，２Ｂに夫々連続して、下平板部材１０Ｂ，１１Ｂ，１５Ｂに一体形成される。
上側・左右突起３Ａ，３Ｂは、幅方向Ｈに突起間隔Ｐ１（又はＰ２）を隔てて対峙され、幅方向Ｈに突起幅ｈ１（又はｈ２）を有して、脚差込穴２内に突出する（図３及び図１０参照）。
【００４４】
第２脚支持部材８において、上側・左右突起３Ａ，３Ｂは、図５に示すように、上平板部１５Ａ（筒状本体１５）に開口する各脚差込穴２，２，…内に配置される。
上側・左右突起３Ａ，３Ｂは、脚差込穴の左右穴平面２Ａ，２Ｂに夫々連続して、上平板部１５Ａに一体形成される。
上側・左右突起３Ａ，３Ｂは、幅方向Ｈに突起間隔Ｐ２を隔てて対峙され、幅方向Ｈに突起幅ｈ２を有して、脚差込穴２内に突出する（図５及び図１０）。
【００４５】
第２脚支持部材８において、下側・左右突起３Ａ，３Ｂは、下平板部１５Ｂ（筒状本体１５）に開口する各脚差込穴２，２，…に配置される。
下側・左右突起３Ａ，３Ｂは、幅方向Ｈに突起間隔Ｐ２を隔てて対峙され、幅方向Ｈに突起幅ｈ２を有して、脚差込穴２内に突出する（図５及び図１０参照）。
【００４６】
各脚支持部材７〜９において、上側・左右突起３Ａ，３Ｂ、及び下側・左右突起３Ａ，３Ｂは、図４、図５及び図１０に示すように、長手方向Ｎに突起長Ｌ３及び差込方向Ｓに突起厚Ｔ３を有する。
【００４７】
長尺支持体１の両端部１２，１２にある各脚差込穴２，２（以下、「両端部の各脚差込穴２，２」と称する）において、上側及び下側・左右突起３Ａ，３Ｂは、図３（ｃ）及び図１０に示すように、突起間隔Ｐ１及び突起幅ｈ１を有する。
【００４８】
各脚支持部材７〜９の両端部１１〜１２を除く、各脚支持部材７〜９の両端部間にある各脚差込穴２，２，…（以下、「部材両端部間の脚差込穴２，２，…」と称する）において、上下側・左右突起３Ａ，３Ｂは、図３乃至図５、及び図１０に示すように、突起間隔Ｐ２及び突起幅ｈ２を有する。
【００４９】
各脚支持部材７〜９の各連結部Ａ，Ａにある各脚差込穴２，２，…（以下、「連結部Ａの脚差込穴２，２，…」と称する）において、上下側・左右突起３Ａ，３Ｂは、図７及び図１０に示すように、突起間隔Ｐ２及び突起幅ｈ２を有する。
【００５０】
図１、図８乃至図１３において、複数の脚５，５，…は、生コンクリートの付着し難く、弾性変形自在な材質、例えばポリエチレン樹脂で形成する。
各脚５，５，…は、図１、図８及び図９に示すように、長尺脚部１６及び脚頭部１７を有する。
【００５１】
長尺脚部１６は、図１、図８乃至図１０に示すように、例えば、扁平面１６Ａ，１６Ｂを有し、中実体に形成される。各扁平面１６Ａ，１６Ｂは、図８に示すように、脚長手方向Ｍに直交する脚厚方向Ｒ（以下、「脚厚方向Ｒ」と称する）に間隔を隔てて平行され、脚幅方向Ｐに延出する。なお、脚幅方向Ｐは、脚長手方向Ｍ及び脚厚方向Ｒに直交する方向である。
長尺脚部１６は、図８及び図１０に示すように、脚幅方向Ｐに脚幅Ｌ４及び脚厚方向Ｒに脚厚Ｐ４を有する。
【００５２】
また、長尺脚部１６は、図８に示すように、レベル測定目盛１８を有し、レベル測定目盛１８は、各扁平面１６Ａ，１６Ｂに配置される。レベル測定目盛１８は、脚長手方向Ｍに間隔を隔てて、１００、１５０及び２００の目盛を形成する。
【００５３】
脚頭部１７は、図８及び図９に示すように、長尺脚部１６の一端に形成され、長尺脚支持体１の上平板部１Ａ（各脚支持部材７〜９の上平板部１０Ａ，１５Ａ）に当接される。
【００５４】
図１０において、長尺脚部１６及び各脚差込穴２，２，…の関係は、脚幅Ｌ４＜穴長Ｌ１、及び脚厚Ｐ４＜穴幅Ｗ１とする。
これにより、長尺脚部１６（脚５）は、各扁平面１６Ａ，１６Ｂを各脚差込穴２，２，…の各穴平面２Ａ，２Ｂに平行して、各脚差込穴２，２，…に挿通できる。
【００５５】
両端部の各脚差込穴２，２において、長尺脚部１６及び突起体３の関係は、図１０に示すように、脚厚Ｐ４＞突起間隔Ｐ１とする。
これにより、長尺脚部１６（脚５）は、図１１に示すように、各扁平面１６Ａ，１６Ｂで上下側・左右突起３Ａ，３Ｂを差込方向Ｈに弾性変形しつつ各脚差込穴２，２に圧入できる。
上下側・左右突起３Ａ，３Ｂは、弾性変形に伴って、各扁平面１６Ａ，１６Ｂに圧接して、長尺脚部１６を挟持する。
長尺脚部１６の圧入は、長尺脚部１６の脚厚Ｐ４、及び上下側・左右突起３Ａ，３Ｂの突起幅ｈ１、突起長Ｌ３、突起厚Ｔ３、突起間隔Ｐ１を適宜選択して調整する。
長尺脚部１６の圧入は、例えば、長尺脚支持体１（各脚支持部材７〜９）の自重に抗して長尺脚支持体１を支持し、更に差込方向Ｓの力操作に伴って、長尺脚部１６を長尺脚支持体１に相対摺動できる圧入力Ｆ１とする。なお、力操作は、コンクリート打設現場の作業者による手動操作であって、長尺脚支持体１の自重以上の力である。
【００５６】
部材両端部間の各脚差込穴２，２，…、及び連結部Ａの各脚差込穴２，２，…において、長尺脚部１６及び各突起体３，３，…の関係は、図１０に示すように、脚厚Ｐ４及び突起間隔Ｐ２を同一にする。
これにより、長尺脚部１６（脚５）は、図１２及び図１３に示すように、各扁平面１６Ａ，１６Ｂを上下側・突起３Ａ，３Ｂに当接しつつ連結部Ａの各脚差込穴２，２，…に挿通できる。
【００５７】
図１、図９及び図１１乃至図１３において、複数の脚５，５，…は、各脚差込穴２，２，…に摺動自在として挿通される。
【００５８】
図９及び図１１において、各脚５，５は、長尺脚支持体１の両端部１２，１２に配置される（以下、「両端部１２，１２にある各脚５，５」と称する）。
両端部にある各脚５，５は、長尺脚部１６を上平板部１Ａから両端部の各差込穴２，２に対峙する。
【００５９】
図９及び図１２において、各脚５，５，…は、両端部及び各連結部Ａ，Ａを除く、各脚支持部材７〜９の両端部間に配置される（以下、「部材両端部間にある各脚５，５，…」と称する）。
部材両端部間にある各脚５，５，…は、長尺脚部１６を上平板部１０Ａ，１５Ａから部材両端部間の各脚差込穴２，２，…に対峙する。
【００６０】
図９及び図１３において、各脚５，５は、各連結部Ａ，Ａに配置される（以下、「連結部Ａにある各脚５，５」と称する）。
連結部Ａにある各脚５，５は、長尺脚部１６を上平板部１５Ａから連結部Ａの各脚差込穴２，２に対峙する。
【００６１】
図９及び図１１において、両端部１２，１２にある各脚５，５は、長尺脚部１６を両端部の各脚差込穴２，２に圧入する。
長尺脚部１６は、図１１（ａ）に示すように、各扁平面１６Ａ，１６Ｂで上下側・左右突起３Ａ，３Ｂを弾性変形しつつ各脚差込穴２，２に挿通される。上下側・左右突起３Ａ，３Ｂは、弾性変形によって、各扁平面１６Ａ，１６Ｂに圧接され、長尺脚部１６を挟持する。
このとき、長尺脚部１６は、上下側・左右突起３Ａ，３Ｂで案内（ガイド）され、各第１脚支持部材７，９の軸心線α，β上に配置される。
これにより、両端部１２，１２にある各脚５，５は、長尺脚支持体１の自重に抗して長尺脚支持体１（各脚支持部材７〜９）を支持する。両端部にある脚５，５及び長尺脚支持体１は、差込方向Ｓに相対摺動しない。両端部にある各脚５，５は、長尺脚支持体１を支持する支持脚（以下、「支持脚５Ａ，５Ａ」とも称する）となる。
【００６２】
両端部１２，１２にある各脚５，５において、脚頭部１７は、図９及び図１１に示すように、長尺脚部１６の圧入に伴って、長尺脚支持体１の上平面１Ａに当接される。
これにより、両端部にある各脚５，５は、差込方向Ｓの下方Ｓ１に両端部の脚差込穴２から抜出ない（図９及び図１１参照）。
【００６３】
また、両端部１２，１２にある各脚５，５は、差込方向Ｓに長尺脚支持体１の自重以上の力を受けなければ、上下側・左右突起３Ａ，３Ｂの弾性変形によって、差込方向Ｓの上方Ｓ２に両端部の脚差込穴２から抜出ない（図９及び図１１参照）。
一方、各脚５，５及び長尺脚支持体１は、差込方向Ｓの力操作によって、差込方向Ｓに相対摺動する。
これにより、長尺脚支持体１は、差込方向Ｓにおいて、各脚５，５（長尺脚部１６）に対して任意位置に変更配置して、その位置に両端部にある各脚５，５で支持できる。
【００６４】
図９及び図１２において、部材両端部間にある各脚５，５，…は、長尺脚部１６を部材両端部間の各脚差込穴２，２，…に挿通する。
長尺脚部１６は、図１２に示すように、各扁平面１６Ａ，１６Ｂを上下側・左右突起３Ａ，３Ｂに当接しつつ部材両端部間の各脚差込穴２，２，…に挿通される。このとき、長尺脚部１６は、上下側・左右突起３Ａ，３Ｂで案内（ガイド）され、各脚支持部材７〜９の軸心線α〜γ上に配置される。
これにより、部材両端部間にある各脚５，５，…は、脚５の自重によって、長尺脚支持体１（各脚支持部材７〜９）に対して差込方向Ｓに相対摺動する。
【００６５】
部材両端部間にある各脚５，５，…において、脚頭部１７は、図９及び図１２に示すように、長尺脚部１６の挿通に伴って、各脚支持部材７〜９の上平板部１０Ａ，１５Ａに当接される。
これにより、部材両端間にある各脚５，５，…は、差込方向Ｓの下方Ｓ１に部材両端部間の各脚差込穴２，２，…から抜出ない（図９及び図１２参照）。
【００６６】
図９及び図１３において、連結部Ａにある各脚５，５は、長尺脚部１６を連結部Ａの各脚差込穴２，２，…に挿通する。
具体的には、連結部Ａにある各脚５，５は、突起端１１の嵌込みに伴って、差込方向Ｓで連通する突起端部１１の脚差込穴２及び筒状端部１３，１４の各脚差込穴２に挿通される。
【００６７】
連結部Ａにある各脚５，５において、長尺脚部１６は、図１３に示すように、各扁平面１６Ａ，１６Ｂを各脚差込穴２，２の上下側・左右突起３Ａ，３Ｂに当接しつつ連結部Ａの各脚差込穴２，２に挿通される。このとき、長尺脚部１６は、上下側・左右突起３Ａ，３Ｂで案内（ガイド）され、各脚支持部材７〜９の軸心線α〜γ上に配置される。
これにより、連結部Ａにある各脚５，５は、脚５自重によって、長脚支持体１に対して差込方向Ｓに相対摺動する。
【００６８】
また、連結部Ａにある各脚５，５において、長尺脚部１６は、図９及び図１３に示すように、突起端部１１及び筒状端部１３，１４の各脚差込穴２，２を挿通するので、第１脚支持部材７，９の突起端部１１は、長尺脚部１６（脚５）によって抜止され、第２脚支持部材８の筒状端部１３，１４内から長手方向Ｎに外れない。連結部Ａにある脚５，５は、突起端部１１を抜止めする抜止脚となる。
【００６９】
連結部Ａにある各脚５，５において、脚頭部１７は、図９及び図１３に示すように、長尺脚部１６の挿通に伴って、第２脚支持部材８の上平板部１５Ａに当接される。
これにより、連結部Ａにある各脚５，５は、差込方向Ｓの下方Ｓに連結部Ａの各脚差込穴２から抜出ない（図９及び図１３参照）。
【００７０】
図１、図９乃至図１３において、各脚５，５，…を各脚差込穴２，２，…に挿通すると、各脚５，５，…は、各脚支持部材７〜９の軸心線α〜γ上に配置されて、長手方向Ｎに間隔を隔てて並設される。
これにより、長尺脚部１６の各扁平面１６Ａ，１６Ｂは、図１及び図９に示すように、長手方向Ｎに延出して配置され、生コンクリートを受止める受平面を形成する。
また、隣設する長尺脚部１６，１６の間隔Ｇは、図１及び図９に示すように、打設時の生コンクリートが流出しない間隔にする。
【００７１】
コンクリートストッパーＸでは、図１及び図９に示すように、複数（２つ）の第１脚支持部材７，９及第２脚支持部材８で長尺脚支持体１を構成する。
図１４に示すように、第１脚支持部材９（又は７）を第２脚支持部材８から取外すことで、第１及び第２脚支持部材７，９で長尺脚支持体１を構成でき、図１５に示すように、各第１脚支持部材７，９を第２脚支持部材８から取外ことで、第２脚支持部材８で長尺脚支持体１を構成きる。
【００７２】
図１４において、一方側の連結部Ａにある脚５を、突起端部１１及び筒状端部１４の各脚差込穴２，２から差込方向Ｓに抜出し、更に一方側の第１脚支持部材９（又は７）の突起端部１１を第２脚支持部材８の筒状端部１４内から取外す。
これにより、長尺脚支持体１は、第１及び第２脚支持部材７，８（又は８，９）で構成できる。
【００７３】
図１５において、連結部Ａにある各脚５，５を、各突起端部１１，１１及び各筒状端部１３，１４の各脚差込穴２，２から差込方向Ｓに抜出し、更に各第１脚支持部材７，９の突起端部１１，１１を第２脚支持部材８の各筒状端部１３，１４内から抜出す。
これにより、長尺脚支持体１は、第２脚支持部材８で構成できる。
【００７４】
コンクリートストッパーＸでは、図１６乃至図１８に示すように、長尺脚支持体１から長尺脚支持体１０１に拡張できる。
長尺支持体１０１は、長尺脚支持体１（図１乃至図１３参照）に加えて、１又は複数の第１脚支持部材７，９で構成される。
なお、長尺脚支持体１は、図１乃至図１３に示すように、第１脚支持部材７，９及び第２脚支持部材８で構成されるので、長尺脚支持体１０１は、複数の第１脚支持部材７，７，…、第２脚支持部材８及び複数の第１脚支持部材９，９，…で構成される。
長尺脚支持体１０１は、長手方向Ｎにおいて、長尺脚支持体１の両端に１又は複数の第１脚支持部材７，９を隣接して並設する。
また、複数の脚差込穴２，２，…は、図１乃至図１３で説明したと同様、長尺脚支持体１に隣接する１脚支持部材７，９に並設され、差込方向Ｓで各脚支持部材７，９を貫通する。
【００７５】
隣接する第１脚支持部材７，７において、図１６及び図１７に示すように、一方側の第１脚支持部材７の突起端部１１を他方側の第１脚支持部材７の筒状端部１２内に、長手方向Ｎから取外自在に嵌込んで連結部Ｂを形成して、各脚支持部材７，７同士を連結する。
隣接する第１脚支持部材７，７は、図１７（ａ）に示すように、突起端部１１の嵌込みに伴って、突起端部１１及び筒状端部１２の各脚差込穴２，２（以下、「連結部Ｂの各脚差込穴２，２）と称する）を差込方向Ｓで連通する。
【００７６】
図１６において、脚５は、隣接する第１脚支持部材７，７の連結部Ｂに配置される（以下、「連結部Ｂにある脚５」と称する）。
連結部Ｂにある脚５は、第１脚支持部材７の上平面部１０Ａから連結部Ｂの各脚差込穴２，２に対峙する。
【００７７】
連結部Ｂにある脚５は、図１６及び図１７に示すように、差込方向Ｓで連結する突起端部１１の脚差込穴２及び筒状端部１２の脚差込穴２に摺動自在に挿通される。
また、連結部Ｂにある脚５は、長尺脚部１６を筒状端部１２の脚差込穴２に圧入すると共に、突起端部１１の脚差込穴２に挿通する。
長尺脚部１６は、図１７に示すように、各扁平面１６Ａ，１６Ｂで筒状端部１２の上下側・突起３Ａ，３Ｂを弾性変形しつつ脚差込穴２に挿通される。筒状端部１２において、上下側・突起３Ａ，３Ｂは、弾性変形によって、各扁平面１６Ａ，１６Ｂを挟持する。
また、長尺脚部１６は、各扁平面１６Ａ，１６Ｂを突起端部１１の上下側・左右突起３Ａ，３Ｂに当接しつつ脚差込穴２に挿通される。
このとき、長尺脚部１６は、上下側・突起３Ａ，３Ｂで案内（ガイド）され、各第１脚支持部材７，７，…の軸心線α，β上に配置される。
これにより、連結部Ｂにある脚５は、長尺脚支持体１０１の自重に抗して長尺脚支持体１０１を支持する。連結部Ｂにある脚５は、支持脚５Ａ，５Ａとなる。
【００７８】
また、連結部Ｂにある脚５において、長尺脚部１６は、突起端部１１及び筒状端部１２の各脚差込穴２，２を挿通するので、一方側の第１脚支持部材７の突起端部１１は、長尺脚部１６（脚５）によって抜止され、他方側の第１脚支持部材７の筒状端部１２内から長手方向Ｎに外れない。連結部Ｂにある脚５は、突起端部１１を抜止めする抜止脚となる。
連結部Ｂは、連結部Ａと同様、二重筒状構造であるので、幅方向Ｈの負荷（生コンクリート）に対して構造上強くなる。
【００７９】
連結部Ｂにある脚５において、脚頭部１７は、図１６及び図１７に示すように、長尺脚部１６の摺動に伴って、他方側の第１脚支持部材７の上平板部１０Ａに当接される。
これにより、連結部Ｂにある脚５は、差込方向Ｓの下方Ｓ１に連結部Ｂの各脚差込穴２，２から抜出さない。
なお、隣接する第１脚支持部材７，７において、複数の脚５，５，…は、図９乃至図１２で説明したと同様、連結部Ｂを除く各脚差込穴２，２，…に摺動自在として挿通される。
【００８０】
隣接する第１脚支持部材９，９において、図１６乃至図１８に示すように、一方側の第１脚支持部材９の突起端部１１を他方側の第１脚支持部材９の筒状端部１２内に、長手方向Ｎから嵌込んで連結部Ｃを形成して、各脚支持部材９，９同士を連結する。
隣接する第１脚支持部材９，９は、図１７（ａ）に示すように、突起端部１１の嵌込みに伴って、突起端部１１の脚差込穴２及び筒状端部１２の脚差込穴２（以下、「連結部Ｃの各脚差込穴２，２」と称する）を差込方向Ｓで連通する。
【００８１】
図１６において、脚５は、隣接する第１脚支持部材９，９の連結部Ｃに配置される（以下、「連結部Ｃにある脚５」と称する）。
連結部Ｃにある脚５は、第１脚支持部材９，９の上平板部１０Ａから連結部Ｃの各脚差込穴２，２に対峙する。
【００８２】
連結部Ｃにある脚５は、図１６乃至図１８に示すように、差込方向Ｓで連通する突起端部１１の脚差込穴２及び筒状端部１２の脚差込穴２を摺動自在に挿通される。
また、連結部Ｃにある脚５は、長尺脚部材１６を筒状端部１２の脚差込穴２に圧入すると共に、突起端部１１の脚差込穴２に挿通する。
長尺脚部１６は、図１７（ａ）及び図１８に示すように、各扁平面１６Ａ，１６Ｂで筒状端部１２の上下側・突起３Ａ，３Ｂを弾性変形しつつ脚差込穴２に挿通される。筒状端部１２において、上下側・突起３Ａ，３Ｂは、弾性変形によって、各扁平面１６Ａ，１６Ｂを挟持する。
また、長尺脚部１６は、各扁平面１６Ａ，１６Ｂを突起端部１１の上下側・左右突起３Ａ，３Ｂに当接しつつ脚差込穴２に挿通される。
このとき、長尺脚部１６は、上下側・突起３Ａ，３Ｂで案内（ガイド）され、各第１脚支持部材７，７，…の軸心線α，β上に配置される。
これにより、連結部Ｃにある脚５は、長尺脚支持体１０１の自重に抗して長尺脚支持体１０１を支持する。連結部Ｂにある脚５は、支持脚５Ａ，５Ａとなる。
【００８３】
また、連結部Ｃにある脚５において、長尺脚部１６は、突起端部１１及び筒状端部１２の各脚差込穴２，２を挿通するので、一方側の第１脚支持部材９の突起端部１１は、長尺脚部１６（脚５）によって抜止され、他方側の第１脚支持部材９の筒状端部１２内から長手方向Ｎに外れない。連結部Ｃにある脚５は、突起端部１１を抜止めする抜止脚となる。
連結部Ｃは、連結部Ａと同様、二重筒状構造となるので、幅方向Ｈの負荷（生コンクリート）に対して構造上強くなる。
【００８４】
連結部Ｃにある脚５において、脚頭部１７は、図１６乃至図１８に示すように、長尺脚部１６の摺動に伴って、一方側の第１脚支持部材９の上平板部１０Ａに当接される。
これにより、連結部Ｃにある脚５は、差込方向Ｓの下方Ｓ１に連結部Ｃの脚差込穴２から抜出ない。
なお、隣接する第１脚支持部材９，９において、複数の脚５，５，…は、図１乃至図１３で説明したと同様、連結部Ｃを除く各脚差込穴２，２，…に摺動自在として挿通される。
【００８５】
このように、コンクリートストッパーＸでは、図１４乃至図１８に示すように、第１脚支持部材７，９及び第２脚支持部材８の連結数を適宜選択することで、長手方向Ｎに任意長さを有する長尺脚支持体１，１０１（以下、「長尺脚支持体Ｚ」とも称する）を構成できる。
これにより、コンクリートストッパーＸは、コンクリート打設範囲に対応して、長手方向Ｎの長さを各脚支持部７〜９単位で変更調整できる。
【００８６】
また、図１６において、第１脚支持部材７，７…同士、及び第１脚支持部材９，９，…同士を連結すると、各連結部Ｂ，Ｃ及び長尺脚支持体１０１の両端部１２，１２に支持脚５Ａ，５Ａを配置できる。各支持脚５Ａ，５Ａ，…は、長手方向Ｎに等間隔を隔てて並設される。
これにより、複数の脚支持部材７〜９を連結して、長脚支持体１０１の自重が大きくなっても、長尺脚支持体１０１を複数の支持脚５Ａ，５Ａ，…で任意位置に支持できる。
【００８７】
更に、長尺脚支持体１，１０１において、第１脚支持部材７，９及び第２脚支持部材８は、取外自在に連連結できるので、コンクリート打設後、各脚支持部材７〜９を分離（分割）して、更に連結することで、繰返し使用（再利用）してコンクリートストッパーＸを構成できる。
【００８８】
また、連結部Ａ〜Ｃにおいて、長尺脚支持体１０１は、突起端部１１及び各筒状端部１２〜１４の抜止めを、各脚５，５，…で兼用しているので、長手方向Ｎに複数の脚支持部材７〜９を隣接して並設しても、複数の脚５，５，…は各扁平面１６Ａ，１６Ｂで生コンクリートを受止める受平面を形成する。
【００８９】
＜コンクリートストッパーＸの使用方法＞
次に、コンクリートストッパーＸの使用方法について、図１９を参照して説明する。
【００９０】
図１９において、コンクリート打設現場Ｚでは、作業者はスラブ型枠Ｚ１内に鉄筋ＳＫ，ＳＫ，…及び配電ボックス（図示しない）等を配置する。また、鉄筋ＳＫ，ＳＫには、当板（図示しない）を取付ける。上記当板は、コンクリートストッパーＸを固定する。
【００９１】
続いて、作業者は、コンクリート打設範囲に対応して長尺脚支持体Ｚを構成する。長尺脚支持体Ｚは、図１３乃至図１８に示すように、１又は複数の第１脚支持部材７，７，…、第２脚支持部材８及び１又は複数の第１脚連結部材９，９，…を連結して構成する。
作業者は、複数の脚５，５，…を長尺脚支持体Ｚの各脚差込穴２，２，…に摺動自在として挿通する。このとき、両端部にある各支持脚５Ａ，５Ａ（又は連結部Ｂ，Ｃにある支持脚５Ａ，５Ａ）は、長尺脚部１６を両端部の各脚差込穴２，２（又は連結部Ｂ，Ｃの脚差込穴２）に圧入する。
両端部にある各脚５，５（又は連結Ｂ，Ｃにある各脚５，５）及び長尺脚本体Ｚは、長尺脚支持体１の自重以上の力操作を受けなければ、差込方向Ｓに相対摺動しない。
これにより、長尺脚支持体Ｚは、各脚５，５，…に対して差込方向Ｓの任意位置に支持して、部材両端部間及び連結部Ａにある各脚５，５，…を差込方向Ｓに摺動できる。
連結部Ａ（又は連結部Ｂ，Ｃ）にある各脚５，５は、連結部Ａ（又連結部はＢ，Ｃ）の各脚差込穴２，２内に挿通されるので、突起端部１１は各筒状端部１２〜１４内から長手方向Ｎに外れない。
更に、各脚５，５，…は、脚頭部１７を長尺脚支持体Ｚの上平板部１Ａ（各上平板部１０Ａ，１５Ａ）に当接するので、差込方向Ｓの下方Ｓ１に抜出ない。
これにより、コンクリート打設範囲に対応して、コンクリートストッパーＸを構成する。
【００９２】
続いて、作業者は、コンクリートストッパーＸでコンクリート打設範囲を仕切る。
作業者は、長尺支持体Ｚを掴んで、各脚５，５，…の長尺脚部１６をスラブ型枠Ｚ１内に挿入して上記当板に固定する。
このとき、両端部にある各支持脚５Ａ，５Ａは、差込方向Ｓにおいて、長尺脚支持体Ｚを任意位置に支持して、スラブ型枠Ｚ１の底面Ｚａに配置される。
【００９３】
各脚５，５，…において、一部の各脚５，５，…は、図１９に示すように、各鉄筋ＳＫ，ＳＫ，…上又は上記配電ボックス上に干渉（当接）する。
長尺脚支持体Ｚは、各支持脚５Ａ，５Ａ，…に対して相対摺動することなく、各支持脚５Ａ，５Ａ，…に支持されるので、干渉する各脚５，５，…は鉄筋ＳＫ，ＳＫ，…、又は上記配電ボックスに干渉（当接）すると、長尺脚支持体Ｚに対して差込方向Ｓの上方Ｓ２に摺動される。一方、干渉する各脚５，５，…を除く各脚５，５，…は、スラブ型枠Ｚの底面Ｚａに配置される。
このように、作業者は、コンクリート打設範囲に鉄筋ＳＫ，ＳＫ，…又は上記配電ボックス等の障害物が存在しても、干渉する各脚５，５，…を直接、差込方向Ｓの上方Ｓ２に摺動することなく、各脚５，５，…をスラブ型枠Ｚ１内に適正に配置して、コンクリート打設範囲を仕切ることが可能となる。
また、各支持脚５Ａ，５Ａが鉄筋ＳＫ，ＳＫ上又は上記配電ボックス上に干渉（当接）する場合には、差込方向Ｓの力操作によって、各支持脚５Ａ，５Ａ（又は長脚支持体Ｚ）を相対摺動することで、鉄筋ＳＫ，ＳＫ，…上又は上記配電ボックス上に配置する。
これにより、各脚５，５，…は、図１９に示すように、長手方向Ｎに受平面を形成する。
【００９４】
続いて、作業者は、コンクリート打設範囲に生コンクリートを流し込み、コンクリートを打設する。
生コンクリートは、各脚５，５，…によって、コンクリート打設範囲外への流出が阻止される。
コンクリートがある程度固まると、コンクリートストッパーＸを引上げて、スラブ型枠Ｚ１から取外す。
【００９５】
このように、コンクリートストッパーＸによれば、コンクリート打設現場において、一時的に打設範囲を仕切ることができる。
また、コンクリートストッパーＸでは、第１及び第２各支持部材７〜９の連結数を適宜選択することで、コンクリート打設範囲に対応して、長尺脚支持体Ｚを構成できる。
更に、コンクリート打設後、第１及び第２脚支持部材７〜９を分離（分割）し、再び連結することで、コンクリート打設毎に繰り返し使用（再利用）できる。
また、長尺脚支持体Ｚにおいて、連結部Ａ（又は連結部Ｂ，Ｃ）は、二重筒状構造であり、各脚５，５で抜止されるので、各脚５，５，…で生コンクリート（負荷）を受けても、各脚支持部材７〜９は分離（分割）しない。
【００９６】
コンクリートストッパーＸでは、部材両端部間の各脚差込穴２，２，…、突起端部１１の脚差込穴２及び各筒状端部１３，１４の各脚差込穴２，２，…において、長尺脚部１６及び各突起体３の関係を、脚厚Ｐ４＞突起間隔Ｐ２にできる（図１０参照）。但し、突起間隔Ｐ１＞突起間隔Ｐ２、突起幅ｈ１＞突起幅ｈ２にする。
これにより、各脚５，５，…は、各脚差込穴２，２，…に摺動自在として圧入できる。このとき、長尺脚部１６は、各扁平面１６Ａ，１６Ｂで上下側・左右突起３Ａ，３Ｂを弾性変形しつつ各脚差込穴２，２，…に圧入される。
長尺脚部１６の圧入は、長尺脚部１６の脚厚Ｐ４、及び上下側・左右突起３Ａ，３Ｂの突起幅ｈ２、突起長Ｌ３、突起間隔Ｐ２を適宜選択して調整する。
長尺脚部１６は、例えば、脚５の自重に抗して脚５を長尺脚支持体１に支持し、更に差込方向Ｓの力操作に伴って、長尺脚部１６を長尺脚支持体１に相対摺動できる圧入力Ｆ２とする。なお、力操作は、脚５の自重以上の力である。
また、各突起体３，３，…において、突起間隔Ｐ１＞突起間隔Ｐ２及び突起幅ｈ１＞突起幅ｈ２であるので、圧入力Ｆ２＜圧入力Ｆ１となる（図１０参照）。
そして、各脚５，５，…は、脚５の自重以上の力を受けなければ、差込方向Ｓの上方Ｓ２に抜出ない。
一方、各脚５，５，…は、差込方向Ｓの力操作に伴って、長尺脚支持体１に対して差込方向Ｓに相対摺動する。
【００９７】
コンクリートストッパーＸにおいて、両端部１２，１２にある各脚５，５は、図２０に示すように、上下側・左右突起３Ａ，３ｂを配置することなく、両端部にある各脚５，５を直接、両端部の各脚差込穴２，２内に、直接圧入する構成を採用できる。
【００９８】
図２０において、両端部１２，１２の各脚差込穴２，２は、長手方向Ｎの穴長Ｌ６及び幅方向Ｈに穴幅Ｈ６を有する。
部材両端部間の各脚差込穴２，２，…、及び連結部Ａの各脚差込穴２，２は、長手方向Ｎに穴長Ｌ７及び幅方向Ｈの穴幅Ｈ７を有する。
各脚差込穴２，２，…の関係は、図２０に示すように、穴長Ｌ６＜穴長Ｌ７及び穴幅Ｈ６＜穴幅Ｈ７とする。
【００９９】
両端部１２，１２の各脚差込穴２，２、及び長尺脚部１６の関係は、穴長Ｌ６＜脚幅Ｌ４及び穴幅Ｈ６＜脚幅Ｐ４とする。
これにより、両端部にある各脚５，５は、両端部の各脚差込穴２，２に摺動自在として圧入できる。このとき、長尺脚部１６（脚５）は、各扁平面１６Ａ，１６Ａで両端間の各脚差込穴２，２を拡張変形（弾性変形）しつつ各脚差込穴２，２内に圧入される。また、両端部の各脚差込穴２，２は、拡張変形によって、各扁平面１６Ａ，１６Ｂに圧接して長尺脚部１６を挟持する。
脚５（長尺脚部１６）の圧入は、長尺脚部１６の脚幅Ｌ４、脚厚Ｐ４、及び両端部間の脚差込穴２，２の穴長Ｌ６、穴幅Ｈ６を適宜選択して調整する。
脚５（長尺脚部１６）の圧入は、例えば、長尺脚支持体１（各脚支持部材７〜９）の自重に抗して長尺脚支持体１を支持し、更に差込方向Ｓの力操作に伴って、長尺脚部１６を長尺脚支持体１に相対摺動できる圧入力とする。力操作は、長尺脚支持体１の自重以上の力である。
一方、両端部にある各脚５，５は、差込方向の力操作に伴って、長尺脚支持体１に対して差込方向Ｓに相対摺動される。
【０１００】
図２０において、部材両端部間の各脚差込穴２，２，…及び長尺脚部１６の関係は、穴長Ｌ７＞脚幅Ｌ４及び穴幅Ｈ７＞脚厚Ｐ４とする。
これにより、部材両端部間にある各脚５，５，…は、部材両端部間の各脚差込穴２，２，…に摺動自在として挿通できる。このとき、長尺脚部１６は、各脚差込穴２，２，…に隙間を有して挿通される。
また、連結部Ａの各脚差込穴２，２及び長尺脚部１６の関係も、穴長Ｌ７＞脚幅Ｌ４及び穴幅Ｈ７＞脚厚Ｐ４とする。
これにより、連結部Ａにある各脚５，５，…は、連結部Ａの各脚差込穴２，２，…に摺動自在として挿通できる。このとき、長尺脚部１６は、各脚差込穴２，２，…に隙間を有して挿通される。
【０１０１】
コンクリートストッパーＸでは、第１脚支持部材７，９の一端部を突起端部に形成し、第２脚支持部材８の両端部を筒状端部に形成する構成であるが、これに限定されず、例えば、第１脚支持部材７，９の両端部を筒状端部に形成し、第２脚支持部材８の両端部を突起端部に形成する構成も採用できる。
このとき、第２脚支持部材（一方側の脚支持部材）の突起端部を、各第１脚支持部材（他方側の脚支持部材）の筒状端部内に長手方向から取外自在に嵌込んで連結部を形成して、各脚支持部材同士を連結する。
【０１０２】
コンクリートストッパーＸにおいて、長尺脚支持体１（各脚支持部材７〜９）は、断面矩形の他に、断面三角形を含む断面多角形、断面円形又は断面楕円形等を採用できる。
また、コンクリートストッパーＸでは、筒状本体１０，１５を中実体として、第１脚支持部材７，９の一端部を中実突起端部に形成し、他端部を筒状端部に形成すると共に、第２脚支持部材８の両端部を筒状端部に形成する構成を採用できる。
【０１０３】
＜第２実施形態＞
次に、第２実施形態のコンクリートストッパーＹについて、図６，図９，図２１乃至図３９等を参照して説明する。
なお、図２１乃至図３９において、図１乃至図１９と同一符号は同一部材、同一構成であるので、その詳細な説明は省略する。
【０１０４】
図２１乃至図２７において、第２実施形態のコンクリートストッパーＹ（以下、「コンクリートストッパーＹ」と称する）は、長尺脚本体１、複数の脚差込穴２，２，…及び複数の脚５，５，…の構成（図１乃至図１３参照）に加えて、複数の把手差込穴２２，２２、及び把手体２５を含んで備える。
【０１０５】
図６、図９及び図２２において、各把手差込穴２２，２２は、各第１脚支持部材７，９の筒状端部１２にある各脚差込穴２，２、及び各筒状端部１２にある各脚５，５に隣設する各脚差込穴２，２間の夫々に位置して、各第１脚支持部材７，９の軸心線α，β上に配置される。
各把手差込穴２２，２２は、図２２に示すように、各第１脚支持部材７，９を差込方向Ｓで貫通して、各第１脚支持部材７，９の上下平板部１０Ａ，１０Ｂに開口する。
【０１０６】
図２１乃至図２７において、把手体２５は、長尺脚支持体１（各第１脚支持部材７，９）に取付けられる。
把手体２５は、把手部材２６、複数の把手支持部材２７，２８及び複数の抜止部材２９，３０を有する。
【０１０７】
把手部材２６は、図２１乃至図２７に示すように、例えば、把手棒材で構成される（以下、「把手棒材２６」と称する）。
把手棒材２６は、図２１及び図２２に示すように、長尺脚支持体１の長手方向Ｎに延出される。
把手棒材２６は、長尺脚支持体１の両端部１２，１２にある各脚５，５を除く、長尺脚支持体１の両端部間にある各脚５，５，…（以下、「両端部間にある各脚５，５，…」と称する）に対して、差込方向Ｓ（上方Ｓ２）に間隔ａ１を隔てて対峙される。間隔ａ１は、長尺脚部１６の脚長Ｋ１とすると、間隔ａ１＜脚長Ｋ１にする。
【０１０８】
複数の把手支持部材２７，２８は、図２１乃至図２７に示すように、例えば、把手支持棒材で構成される（以下、「把手支持棒材２７，２８」と称する）。
各把手支持棒材２７，２８は、例えば、把手棒材２６と同一金属で形成され、把手棒材２６の長手方向Ｎの両端に夫々連結される。
各把手支持棒材２７，２８は、把手棒材２６から長尺脚支持体１（脚頭部１７）に向けて延出され、各把手差込穴２２に摺動自在に挿通される（図２２乃至図２５参照）。
これにより、各把手支持棒材２７，２８は、長尺脚支持体１の両端部１２，１２にある各脚５，５、及び両端部に隣設する各脚５，５間の夫々で長尺脚支持体１に取付けられる。
【０１０９】
また、各把手支持棒材２７，２８は、差込方向Ｓに摺動して、把手棒材２６を差込方向Ｓに移動する。
これにより、把手棒材２６は、各把手支持棒材２７，２８に摺動に伴って、長尺脚支持体１の両端部間にある各脚５，５，…の脚頭部１７に当接する収納位置Ｑ２に配置される（図２３及び図２４参照）。
収納位置Ｑ２において、把手棒材２６は、両端部間にある脚５，５の脚頭部１７に当接されることで、差込方向Ｓの下方Ｓ１に各把手差込穴２２，２２から抜出ない。
【０１１０】
複数の抜止部材２９，３０は、図２２乃至図２６に示すように、差込方向Ｓにおいて、長尺脚支持体１を把手棒材２６との間に位置して、長尺脚支持体１の下平板部１Ｂ（下平板部１０Ｂ）に当接自在に配置される。
また、各抜止部材２９，３０は、長尺脚支持体１の両端部１２，１２、及び両端部に隣設する各脚５，５の長尺脚部１６間に配置される。
各抜止部材２９，３０は、図２２乃至図２４に示すように、各把手支持棒材２７，２８において、長尺脚支持体１を挿通する側に夫々取付けられる。
各抜止部材２９，３０は、各把手支持棒材２７，２８の摺動に伴って、長尺脚支持体１の下平板部１Ｂに当接される。
これにより、各把手支持棒材２７，２８は、長尺脚支持体１（各把手差込穴２２，２２）から差込方向Ｓの上方Ｓ２に抜出ない（図２２参照）。
【０１１１】
把手棒材２６は、各抜止部材２９，３０の当接によって、上平板部１Ａから間隔ａ１の使用位置Ｑ１に配置される（図２１、図２５及び図２６参照）。
使用位置Ｑ１において、両端部間にある各脚５，５，…は、長尺脚部１６の摺動に伴って、脚頭部１７を把手棒材２６に当接する。このとき、間隔ａ１＜脚長Ｋ１の関係であるので、長尺脚部１６の一部は、図２５及び図２６に示すように、各脚差込穴２，２，…内に配置される。
これにより、両端部間にある各脚５，５，…は、把手棒材２６に当接することで、差込方向Ｓの上方Ｓ２に抜出ない。
なお、両端部１２，１２にある各支持脚５Ａ，５Ａは、両端部の各脚差込穴２，２に圧入されているので、長尺脚支持体１の自重以上の力操作を受けなければ、差込方向Ｓの上方Ｓ１に抜出ない。
【０１１２】
コンクリートストッパーＹにおいて、不使用時、作業者は、把手棒材２６を差込方向Ｓの下方Ｓ１側に押す。このとき、各把手支持棒材２７，２８は、図２３及び図２４に示すように、長尺脚支持体１に対して差込方向Ｓの下方Ｓ１に相対摺動して、把手棒材２６を収納位置Ｑ２に配置する。
収納位置Ｑ２において、各把手支持棒材２７，２８は、図２３に示すように、両端部にある各脚５，５及び隣設する各脚５間の夫々に収容され、把手棒材２６は両端部間にある各脚５，５，…の脚頭部１７に当接される。
これにより、コンクリートストッパーＹは、把手棒材２６、各把手支持棒材２７，２８を長尺脚支持体１及び各脚５，５，…側に収納でき、収納スペースを最小限にできる。
【０１１３】
また、コンクリートストッパーＹの運搬時において、コンクリートストッパーＹに振動等が作用すると、各把手支持棒材２７，２８及び両端部間にある各脚５，５，…は、差込方向Ｓの上方Ｓ２に摺動する。
各把手支持棒材２７，２８は、図２５及び図２６に示すように、長尺脚支持体１に対して差込方向Ｓの上方Ｓ１に相対摺動して、把手棒材２６を使用位置Ｑ１に配置する。このとき、各抜止部材２９，３０は、各把手支持棒材２７，２８の相対摺動に伴って、下平板部１Ｂに当接する。
一方、両端部間にある各脚５，５，…は、図２５及び図２６に示すように、長尺脚支持体１に対して長尺脚部１６を相対摺動して、脚頭部１７を把手棒材２６に当接させる。
このとき、長尺脚部１６の一部は、図２５及び図２６に示すように、間隔ａ１＜脚長Ｋ１の関係から、各脚差込穴２，２，…内に配置されるので、両端部間にある各脚５，５，…は、差込方向Ｓの上方Ｑ１に各脚差込穴２，２から抜出ない。
これにより、コンクリートストッパーの運搬時、把手棒材２６，把手支持棒材２７，２８及び各脚５，５，…は差込方向Ｓに摺動しても、長尺脚支持体１から外れない。
【０１１４】
＜コンクリートストッパーＹの使用＞
次に、コンクリートストッパーＹの使用について、図２７を参照して説明する。
【０１１５】
図２７において、コンクリート打設現場において、作業者はスラブ型枠Ｚ１内に鉄筋ＳＫ，ＳＫ，…及び配電ボックス（図示しない）等を配置する。また、鉄筋ＳＫ，ＳＫには、当板（図示しない）を取付ける。上記当板は、コンクリートストッパーＹを固定する。
【０１１６】
続いて、作業者は、把手棒材２６（把手部材）を掴んで、各把手支持棒材２７，２８を差込方向Ｓの上方Ｓ２に摺動する。
これにより、各抜止部材２９，３０は、長尺脚支持体１の下平板部１Ｂに当接するので、把手棒材２６は、図２７に示すように、使用位置Ｑ１に配置される。
作業者は、把手棒材２６を掴んで、コンクリート打設範囲に搬送しても、各把手支持棒材２７，２８は長尺脚支持体１から外れない。
【０１１７】
続いて、作業者は、コンクリートストッパーＸでコンクリート打設範囲を仕切る。
作業者は、各脚５，５，…の長尺脚部１６をスラブ型枠Ｚ１内に挿入して上記当板に固定する。
このとき、両端部にある各支持脚５Ａ，５Ａは、長尺脚支持体Ｚを任意位置に支持して、スラブ型枠Ｚ１の底面Ｚａに配置される。
【０１１８】
各脚５，５，…において、一部の各脚５，５，…は、図２７に示すように、各鉄筋ＳＫ，ＳＫ，…上又は上記配電ボックス上に干渉（当接）する。
長尺脚支持体Ｚは、各支持脚５Ａ，５Ａ，…に対して相対摺動することなく、各支持脚５Ａ，５Ａ，…に支持されるので、干渉する各脚５，５，…は鉄筋ＳＫ，ＳＫ，…、又は上記配電ボックスに干渉（当接）すると、長尺脚支持体Ｚに対して差込方向Ｓの上方Ｓ２に摺動される。一方、干渉する各脚５，５，…を除く各脚５，５，…は、スラブ型枠Ｚの底面Ｚａに配置される。
このように、作業者は、コンクリート打設範囲に鉄筋ＳＫ，ＳＫ，…又は上記配電ボックス等の障害物が存在しても、干渉する各脚５，５，…を直接、差込方向Ｓの上方Ｓ２に摺動することなく、各脚５，５，…を適正に配置して、コンクリート打設範囲を仕切ることが可能となる。
また、各支持脚５Ａ，５Ａが鉄筋ＳＫ，ＳＫ上又は上記配電ボックス上に干渉（当接）する場合には、差込方向Ｓの力操作によって、各支持脚５Ａ，５Ａ（又は長脚支持体Ｚ）を相対摺動することで、鉄筋ＳＫ，ＳＫ，…上又は上記配電ボックス上に配置する。
これにより、各脚５，５，…は、図２７に示すように、長手方向Ｎに受平面を形成する。
【０１１９】
両端部間にある各脚５，５，…において、脚頭部１７は長尺脚支持体１の上平板部１Ａ又は把手棒材２６に当接されるので、長尺脚部１６を間隔ａ１の範囲で摺動できる。
また、両端部間にある各脚５，５，…において、長尺脚部１６は、図２８に示すように、間隔ａ１を超える所定範囲で摺動できる。間隔ａ１を超える所定範囲は、長尺脚支持体１の差込方向Ｓの高さ寸法Ｆ１とすると、脚長Ｋ１−間隔ａ１程度にする。
図２８において、作業者は、把手棒材２６を長尺脚支持体１から差込方向Ｓの上方Ｓ２に引上げ、更に両端部間にある各脚５，５，…の長尺脚部１６を差込方向Ｓの上方Ｓ２に引上げる。
続いて、両端部間にある各脚５，５，…において、長尺脚支持体１の上方Ｓ２側の長尺脚部１６Ｘ（以下、「上方側・長尺脚部１６Ｘ」と称する。）を幅方向Ｈに倒す。このとき、上方側・長尺脚部１６Ｘは、図２８に示すように、長尺脚支持体１の上平板部１Ａを支点として幅方向Ｈに湾曲傾斜（弾性変形）され、脚頭部１７は上方側・長尺脚部１６Ｘの湾曲傾斜に伴って幅方向Ｈに傾斜され、把手棒材２６外側に位置する。
更に、両端部間にある各脚５，５，…を差込方向Ｓの上方Ｓ２に引上げると、湾曲傾斜した上方側・長尺脚部１６Ｘは、幅方向Ｈから把手棒材２６に当接しつつ摺動され、脚頭部１７を把手棒材２６より上方Ｓ２に位置する。
これにより、両端部間にある各脚５，５，…は、間隔ａを超える所定範囲で、差込方向Ｓの上方Ｓ２に摺動できる。
このとき、長尺脚部１６の一部は、脚差込穴２内に配置される。脚差込穴２内において、各扁平面１６Ａ，１６Ｂは、図２８（ｂ）に示すように、上下側・突起３Ａ，３Ｂに当接して長尺脚支持体１で保持されるので、長尺脚支持体１の下方Ｓ１側の長尺脚部１６Ｙ（以下、「下側・長尺脚部１６Ｙ」と称する）は、図２８に示すように、上側・長尺脚部１６Ｘが湾曲傾斜しても、幅方向Ｈに湾曲傾斜されない。
【０１２０】
このように、両端部間にある各脚５，５，…は、間隔ａ１の範囲、又は間隔ａ１を超える所定範囲で摺動できるので、スラブ型枠Ｚ１に配置される障害物（鉄筋又は配電ボックス等）の高さ寸法（差込方向Ｓの寸法）に応じて、長尺脚部１６を最適な高さ位置に配置できる。
また、間隔ａ１を超えて長尺脚部１６を摺動しても、下方側・長尺脚部１６Ｙは、図２８に示すように、湾曲傾斜しないので、各扁平面１６Ａ，１６Ｂで生コンクリートを受ける受平面を形成できる。
更に、把手棒材２６を備えていても、両端部間にある各脚５，５，…は、上側・長尺脚部１６Ｘを幅方向Ｈに湾曲傾斜することで、各脚差込穴２，２，…から引抜いて、長尺脚支持体１から取外すこともできる。
そして、両端部間にある各脚５，５，…は、長尺脚部１６を差込方向Ｓの下方Ｓ１に摺動して把手棒材２６から離間することで、上方側・長尺脚部１６Ｘの湾曲傾斜を解消する。これより、両端部間にある各脚５，５，…において、長尺脚部１６は、間隔ａ１の範囲で、脚差込穴２を摺動できる。また、脚頭部１７は、長尺脚支持体１の上平板部１Ａ及び把手棒材２６間に配置され、把手棒材２６に当接自在となる。
【０１２１】
作業者は、把手棒材２６を離して、長尺脚支持体１及び各脚５，５，…に対して各把手支持棒材２７，２８を差込方向Ｓの下方Ｓ１に相対摺動させる。把手棒材２６は、各把手支持棒材２７，２８の摺動に伴って、収納位置Ｑ２に配置される。
収納位置Ｑ２において、把手棒材２６は、各脚５，５，…の脚頭部１７に当接し、差込方向Ｓの上方Ｓ２から干渉する各脚５，５，…を押付ける。
【０１２２】
続いて、作業者は、コンクリート打設範囲に生コンクリートを流し込み、コンクリートを打設する。
生コンクリートは、各脚５，５，…によって、コンクリート打設範囲外へ流出が阻止される。
そして、コンクリートがある程度固まると、作業者は、把手棒材２６を掴んで、コンクリートストッパーＹを引き上げて、スラブ型枠１から取外す。
【０１２３】
コンクリートストッパーＹでは、長尺脚支持体１について説明したが、これに限定されず、第１及び第２脚支持部材７〜９の連結数を適宜選択して構成される長尺脚支持体１０１（図１６乃至図１８参照）を採用できる。
把手差込穴２２，２２は、各第１脚支持部材７，９において、筒状端部１２の脚差込穴２及び筒状端部１２の脚差込穴２に隣設する各脚差込穴間の夫々に配置されるので、図１６乃至図１８に示すように、長尺脚支持体１に１又は複数の第１脚支持部材７，９を連結しても、長尺脚支持体Ｚの両端部１２，１２の各脚差込穴２，２、及び両端部の脚差込穴２，２に燐設する各脚差込穴２，２間に夫々配置される。
そして、把手棒材２６の長さ寸法を調整して、把手棒材２６を長手脚支持体１０１の両端部間にある各脚５，５，…（脚頭部１７）に対峙する。また、各把手支持棒材２７，２８を、長尺脚支持体１０１の両端部にある各脚５，５、及び両端部にある各脚５，５間の夫々で長尺脚支持体１０１に取付けて、各把手差込穴２２，２２に摺動自在に挿通する。
【０１２４】
コンクリートストッパーＹでは、長尺脚支持体１を複数の第１及び第２脚支持部材７〜９で構成しているが、これに限定されず、図２９に示すように、各脚支持部材に分割できない単一部材の長尺脚支持体を採用できる。
【０１２５】
次に、コンクリートストッパーＹの変形例１及び変形例２について、図３０乃至図３８を参照して説明する。
なお、図３０乃至図３８において、図１乃至図２８と同一符号は同一部材又は同一構成であるので、その詳細な説明は省略する。
【０１２６】
＜変形例１＞
以下、コンクリートストッパーＹの変形１について、図３０乃至図３５を参照して説明する。
【０１２７】
コンクリートストッパーＹにおいて、把手体２５は、図３０乃至図３５に示すように、把手棒材２６、各把手支持棒材２７，２８及び各抜止部材２９，３０に加えて、把手保護部材３５を含んで構成できる。
【０１２８】
図２９乃至図３５において、把手部材２６は、把手棒材２６及び把手保護部材３５を備え、把手保護部材３５は、例えば円筒体に形成される。
【０１２９】
把手棒材２６は、長手方向Ｎにおいて、把手保護部材３５内を挿通する。
【０１３０】
把手保護部材３５は、例えばウレタン樹脂等の合成樹脂で形成され、把手棒材２６外周に配置される。
把手保護部材３５は、長手方向Ｎに延出して、両端部間にある各脚５，５，…の脚頭部１７に対峙する。また、把手保護部材３５の外直径Ｄは、図３２に示すように、各脚頭部１７の頭部幅Ｔ１より大きい直径にする。
把手保護部材３５は、各把手支持棒材２７，２８の摺動に伴って、把手棒材２６と共に使用位置Ｑ１又は収納位置Ｑ２に配置される（図３０乃至図３４参照）。
使用位置Ｑ１において、把手保護部材３５は、上平板部１Ａから差込方向Ｓの上方Ｓ２に間隔ａ１を隔てて、各脚５，５，…の脚頭部１７に対峙する。収納位置Ｑ２において、把手保護部材３５は、両端部間にある各脚５，５，…の脚頭部１７に当接される。
【０１３１】
コンクリートストッパーＹにおいて、未使用時、作業者は、把手保護部材３５を把手棒材２６と共に差込方向Ｓの下方Ｓ１側に押す。このとき、各把手支持棒材２７，２８は、図３１及び図３２に示すように、長尺脚支持体１に対して差込方向Ｓの下方Ｓ１に相対摺動して、把手保護部材３５を収納位置Ｑ２に配置する。
収納位置Ｑ２において、各把手支持棒材２７，２８は、図３１に示すように、両端部１２，１２にある各脚５，５及び隣設する各脚５間の夫々に収容され、把手保護部材３５は両端部間にある各脚５，５，…の脚頭部１７に当接される。
これにより、コンクリートストッパーＹは、把手棒材２６、各把手支持棒材２７，２８、把手保護部材３５を長尺脚支持体１及び各脚５，５，…側に収納でき、収納スペースを最小限にできる。
【０１３２】
また、コンクリートストッパーＹの運搬時において、コンクリートストッパーＹに振動等が作用すると、把手支持棒材２７，２８及び両端部間にある各脚５，５，…は、長尺脚支持体１に対して差込方向Ｓに相対摺動する。
各把手支持棒材２７，２８は、図３３及び図３４に示すように、差込方向Ｓの上方Ｓ１に摺動して、把手保護部材３５を使用位置Ｑ１に配置する。このとき、各抜止部材２９，３０は、各把手支持棒材２７，２８の摺動に伴って、下平板部１Ｂに当接する。
一方、両端部間にある各脚５，５，…は、図３３及び図３４に示すように、把手体２５及び長尺脚支持体１に対して長尺脚部１６を相対摺動して、脚頭部１７を把手保護部材３５に当接させる。また、把手保護部材３５の外直径Ｄは、脚頭部１７の頭部幅Ｔ１より大きい直径であるので、例えば、各脚５，５，…が傾いて摺動しても、脚頭部１７を把手保護部材３５に当接できる。
このとき、長尺脚部１６の一部は、図３３に示すように、各脚差込穴２，２，…内に配置されるので、両端部間にある各脚５，５，…は、各脚差込穴２，２，…から差込方向Ｓの上方Ｓ１に抜出ない。
これにより、コンクリートストッパーを運搬しても、把手棒材２６、各把手支持棒材２７，２８、把手保護部材３５及び両端部間にある各脚５，５，…は、長尺脚支持体１から外れない。
【０１３３】
変形例１において、コンクリートストッパーＹの使用方法は、図２７で説明したと同様であり、両端部間にある各脚５，５，…は、長尺脚部１６を間隔ａ１の範囲で摺動できる。また、両端部間にある各脚５，５，…において、長尺脚部１６は、図３５に示すように、間隔ａ１を超える所定範囲で摺動できる。
図３５において、作業者は、把手棒材２６を長尺脚支持体１から差込方向Ｓの上方Ｓ２に引上げ、更に両端部間にある各脚５，５，…の長尺脚部１６を差込方向Ｓの上方Ｓ２に引上げる。
続いて、両端部間にある各脚５，５，…において、上方側・長尺脚部１６Ｘを幅方向Ｈに倒す。このとき、上方側・長尺脚部１６は、図３５に示すように、長尺脚支持体１の上平板部１Ａを支点として幅方向Ｈに湾曲傾斜（弾性変形）され、脚頭部１７は上方側・長尺脚部１６Ｘの湾曲傾斜に伴って幅方向Ｈに傾斜され、把手保護部材３５外側に位置する。
更に、両端部間にある各脚５，５，…を差込方向Ｓの上方Ｓ２に引上げると、湾曲傾斜した上方側・長尺脚部１６Ｘは、幅方向Ｈから把手保護部材３５を弾性変形しつつ摺動され、脚頭部１７を把手棒材２６より上方Ｓ２に位置する。
これにより、両端部間にある各脚５，５，…は、間隔ａ１を超える所定範囲で、差込方向Ｓの上方Ｓ２に摺動できる。
このとき、長尺脚部１６の一部は、図３５に示すように、脚差込穴２内に配置される。脚差込穴２内において、各扁平面１６Ａ，１６Ｂは、図３５（ｂ）に示すように、上下側・突起３Ａ，３Ｂに当接して長尺脚支持体１に保持されるので、下方側・長尺脚部１６Ｙは、図３５に示すように、上方側・長尺脚部１６Ｘが湾曲傾斜しても、幅方向Ｈに湾曲傾斜しない。
【０１３４】
このように、両端部間にある各脚５，５，…は、間隔ａ１の範囲、又は間隔ａを超える所定範囲で摺動できるので、スラブ型枠に配置される障害物（鉄筋又は配電ボックス等）の高さ寸法（差込方向Ｓの寸法）に応じて、長尺脚部１６を最適な位置に配置できる。
また、間隔ａ１を超えて長尺脚部１６を摺動しても、下方側・長尺脚部１６Ｂは、図３５に示すように、湾曲傾斜しないので、各扁平面１６Ａ，１６Ｂで生コンクリートを受ける受平面を形成できる。
更に、把手棒材２６を備えていても、両端部間にある各脚５，５，…は、上方側・長尺脚部１６Ｘを湾曲傾斜することで、各脚差込穴２，２，…から引抜いて、長尺脚支持体１から取外すこともできる。
そして、両端部間にある各脚５，５，…は、長尺脚部１６を差込方向Ｓの下方Ｓ１に摺動して把手棒材２６から離間することで、上方側・長尺脚部１６Ｘの湾曲傾斜を解消する。これにより、両端部間にある各脚５，５，…において、長尺脚部１６は、間隔ａ１の範囲で脚差込穴２を摺動できる。また、脚頭部１７は長尺脚支持体１の上平板部１Ａ及び把手棒材２６の間に配置され、把手棒材２６に当接自在となる。
【０１３５】
＜変形例２＞
以下、コンクリートストッパーＹの変形例２について、図３６乃至図３９を参照して説明する。
【０１３６】
コンクリートストッパーＹにおいて、把手棒材２６は、図３６乃至図３９に示すように、波状に形成して構成できる（以下、「波状の把手棒材２６」と称する）。
図３６において、波状の把手棒材２６は、各把手支持棒材２７，２８の間で長尺脚支持体１の長手方向Ｎに延出され、両端部間にある各脚５，５，…の脚頭部１７に対峙する。
波状の把手棒材２６は、図３６に示すように、長尺脚支持体１の幅方向Ｈに波幅ｈｓを有し、各把手支持棒材２７，２８間で長尺脚支持体１の長手方向Ｎに延出する。波状の把手棒材２６の波幅ｈｓは、幅方向Ｈにおいて、長尺脚支持体１の軸心線（脚支持部材７〜９の軸心線α〜γ）の両側に波振幅ｈ７を有する。
また、波状の把手棒材２６の波幅ｈｓは、脚頭部１７の頭部幅Ｔ１に対して、波幅ｈｓ＞頭部幅Ｔ１にする（図３６参照）。
【０１３７】
波状の把手棒材２６は、長手方向Ｎに波間隔Ｐｓを隔てて、各把手支持棒材２７，２８間で波状を連結して形成する。波状の把手棒材２６の波間隔Ｐｓは、脚頭部１７の頭部長Ｌ１０に対して、波間隔ＰＳ＜頭部長Ｌ１０にする。脚頭部１７の頭部長Ｌ１０は、長尺脚支持体１の長手方向Ｎの寸法である。
【０１３８】
コンクリートストッパーＹにおいて、未使用時、作業者は、波状の把手棒材２６を差込方向Ｓの下方Ｓ１側に押す。このとき、各把手支持棒材２７，２８は、図３７に示すように、長尺脚支持体１に対して差込方向Ｓの下方Ｓ１に相対摺動して、波状の把手棒材２６を収納位置Ｑ２に配置する。
収納位置Ｑ２において、波状の把手棒材２６は、図３７に示すように、波間隔Ｐｓ＜頭部長Ｌ１０であることから、両端部間ある各脚５，５，…に当接される。
これにより、コンクリートストッパーＹは、波状の把手棒材２６、各把手支持棒材２７，２８を長尺脚支持体１及び各脚５，５，…側に収納でき、収納スペースを最小限にできる。
【０１３９】
また、コンクリートストッパーＹの運搬時において、コンクリートストッパーＹに振動等が作用すると、把手支持棒材２７，２８及び両端部間にある各脚５，５，…は、長尺脚支持体１に対して差込方向Ｓに相対摺動する。
各把手支持棒材２７，２８は、図３８に示すように、差込方向Ｓの上下Ｓ２に摺動して、波状の把手棒材２６を使用位置Ｑ１に配置する。このとき、各抜止部材２９，３０は、各把手支持棒材２７，２８の摺動に伴って、下平板部１Ｂに当接する。
一方、両端部間にある各脚５，５，…は、図３８に示すように、把手体２５及び長尺脚支持体１に対して長尺脚部１６を相対摺動して、脚頭部１７を波状の把手棒材２６に当接させる。また、波状の把手棒材２６の波幅ｈｓは、各頭部１７の頭部幅Ｔ１より大きい寸法であるので、例えば、各脚５，５，…が傾いて摺動しても、脚頭部１７を波状把手棒材２６に当接できる。
このとき、長尺脚部１６の一部は、図３８に示すように、各脚差込穴２内に配置されるので、両端部間にある各脚５，５，…は、各脚差込穴２，２，…から差込方向Ｓの上方Ｓ２に抜出ない。
これにより、コンクリートストッパーＹを運搬しても、波状の把手棒材２６、各把手支持棒材２７，２８、及び両端部間にある各脚５，５，…は、長尺脚支持体１から外れない。
【０１４０】
変形例２において、コンクリートストッパーＹの使用方法は、図２７で示したと同様であり、両端部間にある各脚５，５，…は、長尺脚部１６を間隔ａ１の範囲で摺動できる。また、両端部間にある各脚５，５，…において、長尺脚部１６は、図２８及び図３５で説明したと同様、間隔ａ１を超える所定範囲で摺動できる（図３９参照）。
図３９において、作業者は、波状の把手棒材２６を長尺脚支持体１から差込方向Ｓの上方Ｓ２に引上げ、更に両端部間にある各脚５，５，…の長尺脚部１６を差込方向Ｓの上方Ｓ２に引上げる。
続いて、両端部間にある各脚５，５，…において、上方側・長尺脚部１６Ｘを幅方向Ｈに倒す。このとき、上方側・長尺脚部１６Ｘは、図３９に示すように、長尺脚支持本体１の上平板部１Ａを支点として幅方向Ｈに湾曲傾斜（弾性変形）され、脚頭部１７は上方側・長尺脚部１６Ｘの湾曲傾斜に伴って幅方向Ｈに傾斜され、波状の把手棒材２６外側に位置する。
更に、両端部間にある各脚５，５，…を差込方向Ｓの上方Ｓ２に引上げると、湾曲傾斜した上方側・長尺脚部１６Ｘは、幅方向Ｈから波状の把手棒材２６に当接しつつ摺動され、脚頭部１７を波状の把手棒材２６より上方に位置する。
これにより、両端部間にある各脚５，５，…は、間隔ａ１を超える所定範囲で、差込方向Ｓの上方Ｓ２摺動できる。また、下方側・長尺脚部１６Ｙは、図２８及び図３５で説明したと同様、上方側・長尺脚部１６が湾曲傾斜しても、幅方向Ｈに湾曲傾斜しない。
そして、両端部間にある各脚５，５，…は、長尺脚部１６を差込方向Ｓの下方Ｓ１に摺動して波状の把手棒材２６から離間することで、上方側・長尺脚部１６Ｘの湾曲傾斜を解消する。
これにより、両端部間にある各脚５，５，…において、長尺脚部１６は、間隔ａ１の範囲で脚差込穴２を摺動できる。また、脚頭部１７は長尺脚支持体１の上平板部１Ａ及び波状の把手棒材２６の間に配置され、把手棒材２６に当接自在となる。
なお、変形例２において、長尺脚部１６の湾曲傾斜（弾性変形）を軽減するため、波幅ｈｓ＜頭部幅Ｔ１の関係にすることが好ましい。
【０１４１】
コンクリートストッパーＹにおいて、把手部材２６は、棒材に限定されず、平板、筒体等で構成できる。
【産業上の利用可能性】
【０１４２】
本発明は、コンクリート打設現場において、一時的に打設範囲を仕切るのに最適である。
【符号の説明】
【０１４３】
Ｘ  コンクリートストッパー
１，１０１  長尺脚支持体
２  脚差込穴
３  把手差込穴
５  脚
６  把手体
７  第１脚支持部材
８  第２脚支持部材
９  第１脚支持部材
２２  把手差込穴
２５  把手体
２６  把手棒材（把手部材）
２７，２８  把手支持棒材（把手支持部材）
２９，３０  抜止部材
３５  把手保護部材
【図１】
2014163032.tif 000003
【図２】
2014163032.tif 000004
【図３】
2014163032.tif 000005
【図４】
2014163032.tif 000006
【図５】
2014163032.tif 000007
【図６】
2014163032.tif 000008
【図７】
2014163032.tif 000009
【図８】
2014163032.tif 000010
【図９】
2014163032.tif 000011
【図１０】
2014163032.tif 000012
【図１１】
2014163032.tif 000013
【図１２】
2014163032.tif 000014
【図１３】
2014163032.tif 000015
【図１４】
2014163032.tif 000016
【図１５】
2014163032.tif 000017
【図１６】
2014163032.tif 000018
【図１７】
2014163032.tif 000019
【図１８】
2014163032.tif 000020
【図１９】
2014163032.tif 000021
【図２０】
2014163032.tif 000022
【図２１】
2014163032.tif 000023
【図２２】
2014163032.tif 000024
【図２３】
2014163032.tif 000025
【図２４】
2014163032.tif 000026
【図２５】
2014163032.tif 000027
【図２６】
2014163032.tif 000028
【図２７】
2014163032.tif 000029
【図２８】
2014163032.tif 000030
【図２９】
2014163032.tif 000031
【図３０】
2014163032.tif 000032
【図３１】
2014163032.tif 000033
【図３２】
2014163032.tif 000034
【図３３】
2014163032.tif 000035
【図３４】
2014163032.tif 000036
【図３５】
2014163032.tif 000037
【図３６】
2014163032.tif 000038
【図３７】
2014163032.tif 000039
【図３８】
2014163032.tif 000040
【図３９】
2014163032.tif 000041